(57)【要約】【課題】  より好適に画像の高解像化を行う。【解決手段】  入力映像に対して動き探索をおこない動きベクトルを算出し、前記入力映像に含まれる複数の画像を用いた超解像処理により高解像度化画像を生成する第１の高解像度化処理と、高解像度化処理の対象画像よりも時間的に前に前記第１の高解像度化処理によって高解像度化された画像と前記動きベクトルとを用いて高解像度化画像を生成する第２の高解像度化処理とを切り替え、または処理結果を合成することにより高解像度映像を生成する。【選択図】図１
2010041633.tif 000002
【特許請求の範囲】
【請求項１】
入力映像に対して動き探索をおこなう動き探索部と、
前記入力映像に含まれる複数の画像を用いた超解像処理により高解像度化画像を生成する第１の高解像度化処理と、高解像度化処理の対象画像よりも時間的に前に前記第１の高解像度化処理によって高解像度化された画像と、前記動き探索部が動き探索を行って算出した動きベクトルとを用いて高解像度化画像を生成する第２の高解像度化処理とを切り替え、または処理結果を合成することにより高解像度映像を生成する高解像度化部と
を備えることを特徴とする映像信号処理装置。
【請求項２】
前記高解像度化部は、複数の画像フレームの画像間の位置ずれ量が整数画素単位であるか否かに基いて、前記第１の高解像度化処理と前記第２の高解像度化処理とを時間的に切り替えることを特徴とする請求項１に記載の映像信号処理装置。
【請求項３】
前記高解像度化部は、予め定めた所定の間隔で、前記第１の高解像度化処理と前記第２の高解像度化処理とを時間的に切り替えることを特徴とする請求項１に記載の映像信号処理装置。
【請求項４】
前記高解像度化部による第１の高解像度化処理との処理結果と第２の高解像度化処理との処理結果との合成処理は、重み付け係数を用いた線形補間処理であることを特徴とする請求項１に記載の映像信号処理装置。
【請求項５】
映像を入力する入力部と、
前記入力部に入力される入力映像に対して動き探索をおこない動きベクトルを算出し、前記入力映像に含まれる複数の画像を用いた超解像処理により高解像度化画像を生成する第１の高解像度化処理と、高解像度化処理の対象画像よりも時間的に前に前記第１の高解像度化処理によって高解像度化された画像と前記動きベクトルとを用いて高解像度化画像を生成する第２の高解像度化処理とを切り替え、または処理結果を合成することにより高解像度映像を生成する画像信号処理部と、
前記画像信号処理部の生成する高解像度映像を表示する表示部と
を備えることを特徴とする映像表示装置。
【請求項６】
前記画像信号処理部は、複数の画像フレームの画像間の位置ずれ量が整数画素単位であるか否かに基いて、前記第１の高解像度化処理と前記第２の高解像度化処理とを時間的に切り替えることを特徴とする請求項５に記載の映像表示装置。
【請求項７】
前記画像信号処理部は、予め定めた所定の間隔で、前記第１の高解像度化処理と前記第２の高解像度化処理とを時間的に切り替えることを特徴とする請求項５に記載の映像表示装置。
【請求項８】
前記画像信号処理部による第１の高解像度化処理との処理結果と第２の高解像度化処理との処理結果との合成処理は、重み付け係数を用いた線形補間処理であることを特徴とする請求項５に記載の映像表示装置。
【請求項９】
入力映像に対して動き探索をおこなう動き探索ステップと、
前記入力映像に含まれる複数の画像を用いた超解像処理により高解像度化画像を生成する第１の高解像度化処理と、高解像度化処理の対象画像よりも時間的に前に前記第１の高解像度化処理によって高解像度化された画像と、前記動き探索ステップの動き探索により算出される動きベクトルとを用いて高解像度化画像を生成する第２の高解像度化処理とを切り替え、または処理結果を合成することにより高解像度映像を生成する高解像度化ステップと
を備えることを特徴とする映像信号処理方法。
【請求項１０】
前記高解像度化ステップは、複数の画像フレームの画像間の位置ずれ量が整数画素単位であるか否かに基いて、前記第１の高解像度化処理と前記第２の高解像度化処理とを時間的に切り替えることを特徴とする請求項９に記載の映像信号処理方法。
【請求項１１】
前記高解像度化ステップは、予め定めた所定の間隔で、前記第１の高解像度化処理と前記第２の高解像度化処理とを時間的に切り替えることを特徴とする請求項９に記載の映像信号処理方法。
【請求項１２】
前記高解像度化ステップにおける第１の高解像度化処理との処理結果と第２の高解像度化処理との処理結果との合成処理は、重み付け係数を用いた線形補間処理であることを特徴とする請求項９に記載の映像信号処理方法。
【発明の詳細な説明】
【技術分野】
【０００１】
映像を高解像度化する技術に関する。
【背景技術】
【０００２】
最近のテレビ受像機は大画面化が進んでおり、放送や通信、蓄積媒体などから入力された画像信号をそのまま表示するのではなく、デジタル信号処理によって水平・垂直方向の画素数を増やして表示することが一般的に行われている。この際、一般的に知られているsinc関数を用いたローパスフィルタやスプライン関数等によって画素数を増やすだけでは解像度を上げることはできない。
【０００３】
そこで、入力された複数の画像フレーム(以下、フレームと略記)を合成して１枚のフレームとすることにより、高解像度化しながら画素数を増やす超解像技術が特許文献１に開示されている。
【０００４】
【特許文献１】特開２００７−２２４７８９号
【発明の開示】
【発明が解決しようとする課題】
【０００５】
しかし、特許文献１に記載の技術では、複数の画像フレーム間の位置ずれ量が整数画素単位である場合などに高解像度化処理が行えない場合がある。
【０００６】
または、全てのフレームについて、複数の画像フレームを用いる特許文献１に記載の技術による高解像度化処理を行うと、処理量が膨大になるという課題があった。
【０００７】
本発明は上記課題に鑑みてなされたものであり、その目的は、より好適に画像の高解像化を行うことである。
【課題を解決するための手段】
【０００８】
本発明の一実施の形態は、例えば、特許請求の範囲に記載されたように構成すればよい。
【発明の効果】
【０００９】
本発明によれば、より好適に画像の高解像化を行うことができる。
【発明を実施するための最良の形態】
【００１０】
以下に、本発明の実施の形態を説明する。
【実施例１】
【００１１】
まず、本発明の実施例１に係る映像信号処理装置及びその映像信号処理方法について説明する。
【００１２】
図１に本発明の実施例１に係る映像信号処理装置を示す。入力映像１１は、動き探索部１３に入力される。動き探索部１３では、入力映像１１に含まれるフレーム間の画素同士の対応付けが行われ、対応する各画素間の位置ずれ量である動きベクトルが生成される。この画素同士の対応付けは、例えば画像符号化で用いられるブロックマッチング手法などを利用することで実現できる。当該フレーム間の各画素間の動きベクトルおよび入力映像１１と、フレームメモリ１４に格納される出力映像の遅延画像が高解像度化部１２に入力される。当該遅延画像は、高解像度化部１２における高解像度化処理対象画像よりも時間的に前の高解像度化画像である。高解像度化部１２では前記フレーム間の各画素間の動きベクトルおよび入力映像１１と、フレームメモリ１４に格納される出力映像の遅延画像を用いて高解像度化処理を行い、高解像度化された映像を出力する。この出力映像はフレームメモリ１４に格納される。フレームメモリ１４では出力映像を１フレーム遅延した映像が出力され、この遅延画像は高解像度化部１２に入力される。
【００１３】
図２は高解像度化部１２の一例を示した図である。高解像度化部１２には入力映像１１と、動き探索部１３から出力される動きベクトルと、フレームメモリ１４に格納される出力遅延画像が入力される。高解像度化部１２では、まず入力映像１１が超解像処理部２１に入力される。ここで、フレームメモリ１４に格納される出力遅延画像と、動き探索部１３が算出した映像の動きベクトルが画像変換部２３に入力される。
【００１４】
ここで、超解像処理部２１は、映像の高解像度化処理を超解像技術を用いて行う。超解像処理部２１における超解像処理は、例えば非特許文献１の様な手法を用いればよい。
【００１５】
次に、画像変換部２３は、動き探索部１３が生成した映像の動きベクトルを用いて、フレームメモリ１４に格納される出力遅延画像を変換した画像が生成される。この変換は画像変換部２３に入力された動きベクトルに基づいて、高解像度化対象フレームの部分画像に対応するフレームメモリ１４に格納される出力遅延画像の部分画像を抽出することにより行う。当該変換処理により生成する画像は、例えば、画素単位、画像中の領域（ブロック）単位、またはフレーム単位のいずれか単位で生成する。
【００１６】
次に、高解像度画像生成部２２には入力映像１１と、超解像処理部２１が超解像処理を行った画像と、動き探索部１３が生成した映像の動きベクトルと、画像変換部２３が生成した映像が入力される。
【００１７】
高解像度画像生成部２２は、入力映像１１と、超解像処理部２１が超解像処理を行った画像と、動き探索部１３が算出した映像の動きベクトルと、画像変換部２３が生成した映像の情報に基づいて、高解像度フレームからなる高解像度映像を生成し出力する。
【００１８】
ここで、高解像度画像生成部２２は、例えば、超解像処理部２１が超解像処理を行った画像に基づく画像の生成と、画像変換部２３が生成した映像の情報に基づく画像の生成を、画素単位、画像中のブロック単位、またはフレーム単位で切り替えて行えばよい。
【００１９】
超解像処理部２１が超解像処理を行った画像に基づいてフレームを生成した場合を超解像型高解像度画素、超解像型高解像度ブロック、または超解像型高解像度フレームなどの超解像型高解像度画像とよび、動き探索部１３が生成した映像の動きベクトルと、画像変換部２３が生成した映像の情報に基づいてフレームを生成した場合を動き補正型高解像度画素、動き補正型高解像度ブロック、または動き補正型高解像度フレームなどの動き補正型高解像度画像と呼ぶこととする。
【００２０】
図３は高解像度画像生成部２２の一例を示した図である。高解像度画像生成部２２には、入力映像１１と、超解像処理部２１が超解像処理を行った画像と、動き探索部１３が算出した映像の動きベクトルと、画像変換部２３が生成した映像が入力される。制御信号生成部３１には、入力映像１１と、超解像処理部２１が超解像処理を行った画像と、動き探索部１３が生成した映像の動きベクトルが入力される。
【００２１】
ここで、制御信号生成部３１は、入力映像１１と、超解像処理部２１が超解像処理を行った画像と、動き探索部１３が算出した動きベクトルから、画像合成部３２で行われる画像の合成に必要な制御信号を作成して画像合成部３２に出力する。
【００２２】
画像生成部３２には、超解像処理部２１が超解像処理を行った画像と、画像変換部２３が生成した画像と、制御信号生成部３１で出力された制御信号が入力される。
【００２３】
画像生成部３２は、超解像処理部２１が超解像処理を行った画像と、画像変換部２３が生成した映像を、制御信号生成部３１で出力された制御信号の情報に基づいて、超解像型高解像度画像の生成と動き補正型高解像度画像の生成を画素単位、ブロック単位、またはフレーム単位で切り替えておこなう。
【００２４】
図４は、本実施例に係る画像高解像度化部１２の動作の一例の説明図である。ここで画像高解像度化部１２は、入力映像に含まれる画像４１〜４５に対して、超解像処理部２１が超解像処理を行った画像に基づく画像の生成と、動き探索部１３が生成した映像の動きベクトルと、画像変換部２３が生成した映像の情報に基づく画像の生成を、画素単位、画像中の領域（ブロック）単位、またはフレーム単位で切り替えて、超解像型高解像度画像または動き補正型高解像度画像を生成する。ここで、画像４１〜４５は、入力映像に含まれるフレーム、ブロック、画素のいずれかの単位の領域である。
【００２５】
ここで、超解像型高解像度画像４８は、画像高解像度化部１２の超解像処理部２１が、入力映像のうち画像４１〜４４を用いて多フレーム型超解像処理を行って生成した画像４４に時刻に対応する高解像度画像である。
【００２６】
次に、超解像型高解像度画像４８がフレームメモリ１４に格納された後、画像高解像度化部１２の画像変換部１４は、フレームメモリ１４に格納される超解像型高解像度画像４８に対して、画像４４と４５についての動き探索部１３の動き探索結果である動きベクトルを用いて変形を行い、動き補正型高解像度画像４９が生成される。
【００２７】
以上のように、本実施例に係る映像信号処理装置及びその映像信号処理方法では、超解像型高解像度画像と動き補正型高解像度画像とを、画素単位、ブロック単位、またはフレーム単位などで、空間的にまたは時間的に切り替えて生成する。
【００２８】
これらの切替は、上述のとおり、画像高解像度化部１２の制御信号生成部３１の制御信号に基いて画像合成部３２の合成処理の際に行われる。
【００２９】
次に、画像高解像度化部１２における超解像型高解像度画像と動き補正型高解像度画像との切替の例を図５を用いて説明する。
【００３０】
図５（１）は時間方向における超解像型高解像度画像と動き補正型高解像度画像との切替えの例を示している。図５（１）において斜線で示す画像５１、５２、５３が動き補正型高解像度画像である。他の画像は超解像型高解像度画像である。図５（１）において、制御信号生成部３１は、入力映像または動き探索部１３の動き探索結果である動きベクトルを用いて、複数の画像フレームの画像間の位置ずれ量が整数画素単位であるか否かを判定し、整数画素単位である場合には、超解像型高解像度画像から動き補正型高解像度画像への切替を示す制御信号を生成し、画像合成部３２に送信し、画像合成部３２はこれに従って超解像型高解像度画像と動き補正型高解像度画像とのを行う。
【００３１】
これにより、複数の画像フレームの画像間の位置ずれ量が整数画素単位である場合でも、先に生成した超解像型高解像度画像に基いて新たに動き補正型高解像度画像を生成することができるので、画像を好適に高解像度化できる。
【００３２】
図５（２）も、時間方向における超解像型高解像度画像と動き補正型高解像度画像との切替えの例を示している。図５（２）において斜線のない画像５４、５５、５６が超解像型高解像度画像である。超解像型高解像度画像後に数枚の動き補正型高解像度画像を連続して生成し、これを所定の間隔で繰り返している。
【００３３】
ここで、当該所定の間隔を超解像処理部２１、画像変換部２３高解像度画像生成部２２の制御信号生成部３１のそれぞれで予め記憶しておけば、画像合成部３２の合成処理と同期して、超解像処理部２１や画像変換部２３の処理を省略することが可能となる。
【００３４】
特に超解像処理部２１の処理は複数の画像を用いるので、超解像型高解像度画像よりも動き補正型高解像度画像を多く生成するように設定すれば、画像高解像度化部１２における処理量を低減することができる。
【００３５】
図５（３）は、空間方向における超解像型高解像度画像と動き補正型高解像度画像との切替えの例を示している。上述のとおり、画像高解像度化部１２における超解像型高解像度画像と動き補正型高解像度画像との切り替えは、画素単位、ブロック単位で可能である。
【００３６】
よって、例えば、図５（３）に示すフレーム５０の例では、斜線で示す画素単位またはブロック単位の画像５７、５８、５９が動き補正型高解像度画像であり、他の画像は超解像型高解像度画像である。
【００３７】
例えば、各画素、各ブロックごとに、複数の画像フレーム間の位置ずれ量が整数画素単位であるか否かを判定して、複数の画像フレーム間の位置ずれ量が整数画素単位である画素またはブロックに関して、超解像型高解像度画像を動き補正型高解像度画像へ切り替えれる。
【００３８】
これにより、複数の画像フレーム間の位置ずれ量が整数画素単位である画素またはブロックについても、高解像度画像を生成することができる。これにより画像を好適に高解像度化できる。
【００３９】
以上説明した本発明の実施例１に係る映像信号処理装置及びその映像信号処理方法によれば、超解像型高解像度画像と動き補正型高解像度画像とを切り替えて生成できる。これにより、複数の画像フレームの画像間の位置ずれ量が整数画素単位である場合など、超解像処理が原理的に難しい部分に対しても、超解像技術による高解像度画像の情報に基づいた高解像度画像が生成できる。
【００４０】
また、多フレームを用いた超解像処理を全ての画素、ブロック、フレームに行うのではなく、一部の画素、ブロック、フレームを超解像技術による高解像度画像の情報に基づいた動き補正処理による高解像度化処理に切り替えることにより、処理を簡略化することができ、処理量を低減することが可能となる。
【００４１】
すなわち、より好適に画像の高解像化を行うことができる。
【実施例２】
【００４２】
次に、本発明の実施例２に係る映像信号処理装置及びその映像信号処理方法について説明する。
【００４３】
図６は制御信号生成部３１、および画像合成部３２の一例を示した図である。合成用重み情報生成部６１には、入力映像１１と、超解像処理部２１が超解像処理を行った画像と、動き探索部１３が算出した映像の動きベクトルが入力される。合成用重み情報生成部６１では、入力映像１１と、超解像処理部２１が超解像処理を行った画像と、動き探索部１３が算出した映像の動きベクトルから、線形補間部６２で必要となる合成用重み情報を画素またはブロックごとに生成する。
【００４４】
ここで、合成用重み情報生成部６１が生成する重み情報は、この重み情報を０〜１の間の正の数とすれば、画像変換部２３が生成した映像と超解像処理部２１が超解像処理を行った画像とを、この重み情報の比で混ぜ合わせて高解像度画像を生成することができる。
【００４５】
これにより、出力映像の不自然な部分をぼかすことができるという効果がある。ここで、出力映像が不自然になる部分とは、例えば、重み情報０と重み情報１の境界部分や、動き探索部１３が生成した位置ずれ情報の信頼度が低い部分などが挙げられる。
【００４６】
すなわち、超解像型高解像度画素と動き補正型高解像度画素の境界、または超解像型高解像度ブロックと補正型高解像度ブロックの境界に発生する不自然な画像をより自然な画像とすることが可能となる。
【００４７】
線形補間部６２には超解像処理部２１が超解像処理を行った画像と、画像変換部２３で生成した映像と、合成用重み情報生成部６１で出力された制御信号が入力される。線形補間部６２は、合成用重み情報生成部６１によって作られた画素ごとの重み情報を用いて、超解像処理部２１が超解像処理を行った画像と、画像変換部２３が生成した画像の２つの画像を線形補間する。このとき超解像処理部２１の出力のあるi番目の画素またはブロックをXi、画像変換部２３が生成した結果のあるi番目の画素またはブロックをYi、合成用重み生成部６１によって作られたあるi番目の画素またはブロックの重みをwiとすると、出力映像のi番目の画素またはブロックの画素値Ｚiは次の式１で計算できる。
Ｚi=wi*Xi+(１-wi)*Yi  (式１)
上記のようにして、超解像型高解像度画素と動き補正型高解像度画素とを合成し、高解像度映像として出力される。
【００４８】
以上説明した本発明の実施例２に係る映像信号処理装置及びその映像信号処理方法によれば、実施例１の効果に加えて、多フレームを用いた超解像処理の画像と、超解像技術による高解像度画像の情報に基づいた動き補正処理による高解像度化処理の画像との境界部分に生じる不自然な画像をより自然な画像とすることが可能となる。すなわち、より好適に画像の高解像化を行うことができる。
【実施例３】
【００４９】
図７は制御信号生成部３１、および画像合成部３２の一例を示した図である。合成用重み生成部６１には、入力映像１１と、超解像処理部２１が超解像処理を行った画像と、動き探索部１３が算出した動きベクトルが入力される。合成用重み生成部６１では、入力映像１１と、超解像処理部２１が超解像処理を行った画像と、動き探索部１３が生成した映像の動きベクトルから、線形補間部６２で必要となる合成用重み情報を画素単位またはブロック単位で生成する。
【００５０】
線形補間部６２には超解像処理部２１が超解像処理を行った画像と、画像変換部２３が生成した画像と、合成用重み生成部６１で出力された制御信号が入力される。線形補間部６２では、合成用重み生成部６１によって作られた画素単位またはブロック単位の重みを用いて、超解像処理部２１が超解像処理を行った画像と、画像変換部２３が生成した映像の２つを線形補間する。
【００５１】
補正用信号生成部７１には入力映像１１が入力される。補正用信号生成部７１では画像補正部７２で行われる画像補正に必要な信号を生成する。例えば、画像補正部７２で画像の輪郭線などのエッジ情報が必要である場合には、補正用信号生成部７１では、入力映像１１からエッジ情報を検出する。このエッジ情報は、例えば画像をエッジ方向のみに滑らかにする場合に用いることができる。これにより、滑らかにする処理によってエッジがぼやけてしまうのを防ぎつつ、画像の不自然な部分を補正することが可能となる。このエッジ情報の検出には、例えばハフ変換などを用いることができる。
【００５２】
画像補正部７２には線形補間部６２が生成する高解像度画像と、補正用信号生成部７１が生成する補正用の信号が入力される。画像補正部７１では線形補間部６２が生成した画像の不自然な部分の補正を行う。この補正は、例えば、入力映像１１のエッジ方向に対して滑らかになるようなローパスフィルタ処理を画素単位またはブロック単位で行うことで実現できる。このローパスフィルタ処理に必要な情報は、補正用信号生成部７１で得た結果が入力される。
上記のようにして合成された映像が、高解像度な映像として出力される。
【００５３】
本実施例を適用することで、実施例２の効果に加え、得られた高解像度画像の不自然な部分を解消し、より自然な映像を得ることが可能となる。
【００５４】
以上説明した本発明の実施例３に係る映像信号処理装置及びその映像信号処理方法によれば、実施例１または２の効果に加えて、画像中のエッジがぼやけてしまうのを防ぎつつ、画像の不自然な部分を補正することが可能となる。すなわち、より好適に画像の高解像化を行うことができる。
【実施例４】
【００５５】
図８に第４の実施例を示す。超解像処理部２１で行われる超解像処理にはフレーム間の画素ごとの位置ずれ量が必要である。この位置ずれ量として、動き探索部１３が生成する動きベクトルを超解像処理部２１に入力する。その他の構成、動作は実施例１と同じであるため説明を省略する。
【００５６】
以上説明した本発明の実施例４に係る映像信号処理装置及びその映像信号処理方法によれば、実施例１の効果に加え、動き探索部で算出した動きベクトル情報を超解像処理に利用することで、必要な演算量が軽減され、回路規模を削減することが可能となる。すなわち、より好適に画像の高解像化を行うことができる。
【実施例５】
【００５７】
図９に第５の実施例を示す。実施例１では制御信号生成部３１で、画像合成部３２で用いる制御信号を作成していたが、図９のように制御信号９１を外部から高解像度画像生成部２２に入力する。その他の構成、動作は実施例１と同じであるため説明を省略する。これにより、例えば映像とともに上記制御信号を送信し、本発明の実施例４に係る映像信号処理装置で受信するなどすれば、送信側の意図に沿った高解像度化処理を行うことができる。
【００５８】
以上説明した本発明の実施例４に係る映像信号処理装置及びその映像信号処理方法によれば、実施例１の効果に加え、多フレームを用いた超解像処理と、動き補正処理による高解像度化処理の切り替えを外部から制御できる。すなわち、より多様で好適な画像の高解像化処理を行うことができる。
【実施例６】
【００５９】
図１０に、本発明の実施例６に係る映像表示装置を示す。本実施例に係る映像表示装置は、上述の実施例１乃至実施例５に記載された画像信号処理を行う構成とした映像表示装置である。 
同図において、映像表示装置１００は、例えば、テレビジョン信号などを含む放送波やネットワークなどを介して放送信号や映像コンテンツや画像コンテンツなどを入力する入力部１０１と、入力部１０１から入力されたコンテンツを録画もしくは再生する録画再生部１０２と、録画再生部１０２がコンテンツを記録するコンテンツ蓄積部１０３と、録画再生部１０２が再生した映像信号または画像信号に実施例１に記載された画像信号処理装置である画像信号処理部１０４と、画像信号処理部１０４にて処理された映像信号または画像信号を表示する表示部１０５と、録画再生部１０２が再生した音声信号を出力する音声出力部１０６と、映像表示装置１００の各構成部を制御する制御部１０７と、ユーザーが映像表示装置１００の操作を行うユーザインターフェース部１０８などを備える。 
画像信号処理部１０４の詳細な構成・動作については、実施例１に記載したとおりであるので、説明を省略する。 
映像表示装置１００が実施例１に記載された画像信号処理装置である画像信号処理部１０４を備えることで、入力部１０１ に入力された映像信号または画像信号をより高解像度でノイズを低減した映像信号または画像信号として表示部１０５に表示することができる。
【００６０】
よって、表示部１０５の表示デバイスの解像度よりも、低解像度の信号が入力部１０１から入力された場合も、再生信号を高解像度化した表示を行うことが可能となる。 
また、コンテンツ蓄積部１０３に蓄積された映像コンテンツまたは画像コンテンツを再生する際も、より高解像度な映像信号または画像信号に変換して表示部１０５に表示することができる。 
また、画像信号処理部１０４の画像処理をコンテンツ蓄積部１０３に蓄積された映像コンテンツまたは画像コンテンツの再生後に行うことにより、コンテンツ蓄積部１０３に蓄積されるデータは、表示部１０５に表示される解像度のよりも相対的に低解像度である。よって相対的にコンテンツのデータ量を小さくして蓄積できるという効果がある。
【００６１】
また、画像信号処理部１０４を録画再生部１０２に含め、録画時に上述の画像信号処理を行ってもよい。この場合は、再生時には上述の画像信号処理を行う必要が無いため、再生時の処理負荷を低減できるという効果がある。
【００６２】
以上説明した本発明の実施例６に係る映像表示装置によれば、実施例1乃至実施例５に示す効果を有する映像表示装置を実現できる。すなわち、より好適に画像の高解像化して表示することができる。
【実施例７】
【００６３】
図１１に、本発明の実施例７に係る録画再生装置を示す。本実施例に係る録画再生装置は、上述の実施例１の実施例に記載された画像信号処理を行う構成とした録画再生装置である。 
同図において、録画再生装置１１０は、例えば、例えば、テレビジョン信号などを含む放送波やネットワークなどを介して放送信号や映像コンテンツや画像コンテンツなどを入力する入力部１０１と、入力部１０１から入力されたコンテンツを録画もしくは再生する録画再生部１０２と、録画再生部１０２がコンテンツを記録するコンテンツ蓄積部１０３と、録画再生部１０２が再生した映像信号または画像信号に実施例１に記載された画像信号処理装置である画像信号処理部１０４と、画像信号処理部１０４にて処理された映像信号または画像信号を他の装置などに出力する画像映像出力部１１５と、録画再生部１０２が再生した音声信号を他の装置などに出力する音声出力部１１６と、録画再生装置１１０の各構成部を制御する制御部１０７と、ユーザーが録画再生装置１１０の操作を行うユーザインターフェース部１０８などを備える。 
録画再生装置１１０が実施例１に記載された画像信号処理装置である画像信号処理部１０４を備えることで、入力部１０１ に入力された映像信号または画像信号をより高解像度で高画質な映像信号または画像信号として、他の装置などに出力することができる。
【００６４】
また、画像信号処理部１０４の画像処理をコンテンツ蓄積部１０３に蓄積された映像コンテンツまたは画像コンテンツの再生後に行うことにより、コンテンツ蓄積部１０３に蓄積されるデータは、他の装置に出力する信号の解像度のよりも相対的に低解像度である。よって相対的にコンテンツのデータ量を小さくして蓄積できるという効果がある。 
また、画像信号処理部１０４を録画再生部１０２に含め、録画時に上述の画像信号処理を行ってもよい。この場合は、再生時には上述の画像信号処理を行う必要が無いため、再生時の処理負荷を低減できるという効果がある。 
以上説明した本発明の実施例７に係る録画再生装置によれば、実施例1乃至実施例５に示す効果を有する録画再生装置を実現できる。すなわち、より好適に画像の高解像化して録画、再生または出力することができる。
【図面の簡単な説明】
【００６５】
【図１】本発明に関わる第１の実施例を表す説明図である。
【図２】本発明に関わる第１の実施例を表す説明図である。
【図３】本発明に関わる第１の実施例を表す説明図である。
【図４】本発明に関わる第１の実施例を表す説明図である。
【図５】本発明に関わる第１の実施例を表す説明図である。
【図６】本発明に関わる第２の実施例を表す説明図である。
【図７】本発明に関わる第３の実施例を表す説明図である。
【図８】本発明に関わる第４の実施例を表す説明図である。
【図９】本発明に関わる第５の実施例を表す説明図である。
【図１０】本発明に関わる第６の実施例を表す説明図である。
【図１１】本発明に関わる第７の実施例を表す説明図である。
【符号の説明】
【００６６】
１１ 映像入力
１２ 高解像度化部 
１３ 動き探索部 
１４ フレームメモリ 
２１ 超解像処理部 
２２ 高解像度画像生成部 
２３ 画像変換部 
３１ 制御信号生成部 
３２ 画像合成部
６１ 合成用重み生成部 
６２ 線形補間部
７１ 補正用信号生成部
７２ 画像補正部
９１ 制御信号 
１００ 映像表示装置 
１０１ 入力部 
１０２ 録画再生部 
１０３ コンテンツ蓄積部 
１０４ 画像信号処理部 
１０５ 表示部 
１０６ 音声出力部 
１０７ 制御部 
１０８ ユーザインターフェース部
１１０ 録画再生装置 
１１５ 画像映像出力部
１１６ 音声出力部
【図１】
2010041633.tif 000003
【図２】
2010041633.tif 000004
【図３】
2010041633.tif 000005
【図４】
2010041633.tif 000006
【図５】
2010041633.tif 000007
【図６】
2010041633.tif 000008
【図７】
2010041633.tif 000009
【図８】
2010041633.tif 000010
【図９】
2010041633.tif 000011
【図１０】
2010041633.tif 000012
【図１１】
2010041633.tif 000013